(57)【要約】【課題】カテーテルの上端が栓から離脱される時に収容管に挟まって引き出し難くなることを防ぐためのヘッド部が改善された尿道挿入用カテーテルを提供する。【解決手段】  消毒薬を収容して、上部容器１０４とその上部容器の下端に連通される小直径の収容管１１０と、その上部容器と収容管の連結部分が斜めに構成された係止部１１４からなる保管容器にともに収容される尿道挿入用カテーテルにおいて、保管容器に備えられた栓２８の結合突部３９と結合されるように上端が開放されたヘッド部４０と；ヘッド部の下端に連通されるように結合されて、尿道に挿入される挿入管１４８とからなり、ヘッド部はその下端に上部容器と収容管の間に形成された係止部にかかるように収容管の直径より大きい直径を有する係止突起１４６を有する。【選択図】図５
2011139882.tif 000002
【特許請求の範囲】
【請求項１】
消毒薬を収容して、上部容器と当該上部容器の下端に連通される小直径の収容管と、その上部容器と収容管の連結部分が斜めに構成された係止部からなる保管容器にともに収容される尿道挿入用カテーテルにおいて、
前記保管容器に備えられた栓の結合突部と結合されるように上端が開放されたヘッド部と、
前記ヘッド部の下端に連通されるように結合されて、尿道に挿入される挿入管と、
からなり、
前記ヘッド部は、その下端に前記上部容器と前記収容管の間に形成された係止部にかかるように収容管の直径より大きい直径を有する係止突起が形成される、ヘッド部が改善された尿道挿入用カテーテル。
【請求項２】
前記ヘッド部は、当該ヘッド部の内部の通路が前記栓の結合突部が結合しやすいように上広下狭の形態のテーパー型である、請求項１に記載のヘッド部が改善された尿道挿入用カテーテル。
【請求項３】
前記結合突部の長さとヘッド部の長さを合わせた値は、前記上部容器の長さより大きく構成される、請求項１または２に記載のヘッド部が改善された尿道挿入用カテーテル。
【発明の詳細な説明】
【技術分野】
【０００１】
本発明は、ヘッド部が改善された尿道挿入用カテーテルに関する。より詳細には、カテーテルの上端が栓から離脱される時に収容管に挟まって引き出し難くなることを防ぐためのヘッド部が改善された尿道挿入用カテーテルに関する。
【背景技術】
【０００２】
周知のように、カテーテルはフレキシブル（Ｆｌｅｘｉｂｌｅ）な微細管として尿道に挿入される管である。この時、尿道に挿入されるカテーテルの場合は排尿障害を有する患者の尿道に一時的に挿入されて小便を外部に排出させる機能を遂行するものであり、状況によって身体から離脱させて薬物で消毒したり、身体の外部で保管したりする場合がある。
【０００３】
したがって、このようなカテーテルの消毒や保管のための別途の保管容器が開発されている。
【０００４】
図１は従来の技術による尿道挿入用カテーテルの保管容器の外形を示す斜視図で、図２は従来の技術による尿道挿入用カテーテルの保管容器の保管状態を示す斜視図であり、図３は従来の技術による尿道挿入用カテーテルの容器の収容状態を示す要部拡大側断面図である。
【０００５】
この図面を参照すれば、従来の技術による尿道挿入用カテーテルの保管容器２は長形の管の形態でなされて、一端が閉鎖されて内部にカテーテル３０を保管することができる容器部４が構成されており、上記容器部４は中央のコルゲートパイプ１０を基準として上部容器６と下部容器８とでそれぞれ構成される。コルゲートパイプ１０は上部容器６と下部容器８を折って容易に携帯及び保管するための手段である。
【０００６】
前記上部容器６の上部の外周縁の所定部には上部容器６の外周縁に結合された上部リーブ１２が構成されて、その上部リーブ１２の一側に垂直方向に結合孔１４が形成されてハンガー２０の一端が結合されるように構成される。
【０００７】
前記ハンガー２０はその一端に前記結合孔１４からの離脱を防ぐための突起２２が形成されており、その中央部は折り曲げられて薬物支持台（不図示）のフック（不図示）にかかるようにする係止部２４が形成されて、その係止部２４の他端には挿入部２６が延長されるように構成される。
【０００８】
前記下部容器８の下部の外周縁の所定部には下部容器８の外周縁に結合された下部リーブ１６が構成されて、その下部リーブ１６は一側に垂直方向に挿入孔１８が形成されて挿入部２６の端部が結合されるように構成される。
【０００９】
上部容器６の端部は開放されていて、その開放された入口を通じてカテーテル３０を内部に収容することができて、開放された端部を密閉させるために上部容器６に結合される栓２８が構成されている。栓２８はその外周縁が多角面２８ａで形成される。
【００１０】
また、栓２８はその下面に下方に突き出された結合突部３９が構成されてその結合突部３９をカテーテル３０の上端に挟むことによって、今後カテーテル３０を容器部４から容易に取り出すことができるように構成される。
【００１１】
未説明符号４０はカテーテル３０のヘッド部４０を示すものであり、そのヘッド部４０は上部が開放された開放口４２が備えられ、内部には結合力を高めるための突起４２が一定間隔で形成されている。前記上部容器６の上部の外周縁には一定間隔で前記栓２８と結合するためのねじ部６ａが形成されている。
【００１２】
従来の技術による尿道挿入用カテーテルの保管容器２はカテーテル３０の消毒が必要な時に前記容器部４の内部に消毒薬を注入した後、カテーテル３０をその容器部４内に挿入して栓２８で蜜閉してカテーテル３０を保管したり消毒することができる。
【発明の概要】
【発明が解決しようとする課題】
【００１３】
しかし、従来の技術による尿道挿入用カテーテルの保管容器２は前記容器部４に保管されたカテーテル３０を引き出そうとする時、栓２８を開放すると栓２８の下端に構成された結合突部にカテーテル３０が挟まれた状態で栓２８とともにカテーテル３０が引き出されるようになるが、この時頻繁に栓２８の結合突部とカテーテル３０は単純な挟み結合の状態であるのでこれらが分離される場合があった。
【００１４】
一度栓２８とカテーテル３０が分離されたら、汚染の憂慮のため指や他の物でカテーテルの保管容器２内のカテーテル３０をつまみだすことができないのでカテーテルの保管容器２の内部にカテーテル３０とともに収容された消毒薬の全部を捨てる方法によってカテーテル３０を外部に引き出さなければならないので、この場合高価の消毒薬が無駄使いされるという問題点があった。
【００１５】
また、上部容器６と下部容器８の直径が大き過ぎてカテーテル３０を消毒するための消毒薬の注入量が多くなるという問題があった。特に消毒薬は数回にかけて新しく容器内に注入しなければならないので、多くの費用がかかってしまっていた。
【００１６】
したがって、上記の問題点を解決するために本出願人は図４に示す保管容器を開発した。
【００１７】
図４は従来の他の一実施形態に係る尿道挿入用カテーテルの保管容器の外形を示す斜視図である。
【００１８】
この図面を参照すれば、従来の他の一実施形態に係る尿道挿入用カテーテルの保管容器１００もその容器部１０２の中央に伸縮自在に折り曲げられるコルゲートパイプ１０８を備えて、そのコルゲートパイプ１０８の両端に延長される小直径の収容管１１０、１１２をそれぞれ備える。
【００１９】
小直径の収容管１１０、１１２は既存の容器部の直径に比べて狭小に構成されるので容器部１０２に満たされなければならない薬物の量を減らすことができる。
【００２０】
前記収容管１１０、１１２の両端にそれぞれ延長されて、前記収容管１１０、  １１２の直径より大きい直径を有する上部容器１０４及び下部容器１０６が構成されて、上部容器１０４及び下部容器１０６の長さは前記収容管１１０、１１２の長さより短い。
【００２１】
前記上部容器１０４と収容管１１０の連結部分にはカテーテル１３８のヘッド部（図３参照：４０）がかかるようになる係止部１１４が備えられている。
【００２２】
従来の発明に構成された栓１３２は使用者が容易に開閉することができるようにその外周縁１３４に沿って一定間隔で突起１３６が形成されている。
【００２３】
また、従来の他の一実施形態に係る尿道挿入用カテーテルの保管容器１００も病室に具備された薬液桶のハンガー（不図示）にかけたり、または壁掛けやくぎ等にかけたりするハンガー１２０が構成されて、そのハンガー１２０は尿道挿入用カテーテルの保管容器１００が傾くことなく上部容器１０４に対して下部容器１０６が容易に結合できるように構成される。
【００２４】
このために、前記上部容器１０４の外周縁にはその外周縁をくるむようにリーブ１２２が結合されていて、リーブ１２２の外周縁の所定部から横方向に延長される支持台１２４が形成されて、前記支持台１２４の端部には収容管１１２が結合されるホルダー１２６が構成される。
【００２５】
前記ホルダー１２６は下部容器１０６の外周面に形成された複数個の遊動防止突起１０６ａに結合することができるようにその外周縁が一部切開された切開部１２６ａが形成されている。
【００２６】
したがって、使用者が前記上部容器１０４を一手で把持した状態で他の手で下部容器１０６を折るとコルゲートパイプ１０８の部分が折れながら前記下部容器１０６が上部容器１０４と一直線に移動されて、使用者は下部容器１０６の外周縁に形成された遊動防止突起１０６ａの間に前記ホルダー１２６の切開部１２６ａに挟む方式で挟みこんで簡単に結合させることができる。
【００２７】
この場合、従来の発明のようにリーブを挿入段に合わせて調節する必要がなく、別途の下部リーブを容器に挟む必要がないので便宜性が高くて経済的である。
【００２８】
一方、前記支持台１２４はその中央に延長ピン１２８が形成されて、その延長ピン１２８に対して遊動可能に結合される係止フック１３０が構成される。係止フック１３０がくぎやその他のハンガーフック（図２参照：３２）にかかるようになるが、その係止フック１３０は支持台１２４の中央に形成された延長ピン１２８に対して遊動可能に結合されるので尿道挿入用カテーテルの保管容器１００が一方に傾くことなくぶら下がることができて、前記係止フック１３０が延長ピン１２８に対して遊動可能なので外部衝撃にもハンガーフック３２から離脱されにくく安定的にぶら下がることができる。
【００２９】
しかし、前記上部容器１０４と収容管１１０の連結部にはカテーテル１３８のヘッド部（図３参照：４０）がかかるようにする係止部１１４が形成されているが、これは実際にテーパー型で構成されたヘッド部４０が小直径からなる前記収容管１１０にさらに挟まって、引き出すことがさらに難しくなるという問題がある。
【００３０】
そこで、本発明は上記課題に鑑みてなされたものであり、本発明の目的とするところは、カテーテルの上端が栓から離脱される時に収容管に挟まって引き出し難くなることを防ぐためのヘッド部が改善された尿道挿入用カテーテルを提供することにある。
【課題を解決するための手段】
【００３１】
上記課題を解決するために、本発明のある観点によれば、消毒薬を収容して、上部容器とその上部容器の下端に連通される小直径の収容管と、その上部容器と収容管の連結部分が斜めに構成された係止部からなる保管容器にともに収容される尿道挿入用カテーテルにおいて、保管容器に備えられた栓の結合突部と結合されるように上端が開放されたヘッド部と；  前記ヘッド部の下端に連通されるように結合されて、尿道に挿入される挿入管でなるが、前記ヘッド部はその下端に前記上部容器と収容管の間に形成された係止部にかかるように収容管の直径より大きい係止突起を含むヘッド部が改善された尿道挿入用カテーテルが提供される。
【００３２】
ここで、前記ヘッド部は前記栓の結合突部が結合しやすいようにその内部通路が上広下狭の形態のテーパー型であってもよい。
【００３３】
また、前記結合突部の長さとヘッド部の長さを合わせた値は前記上部容器の長さより大きく構成されてもよい。
【発明の効果】
【００３４】
以上説明したように本発明によれば、栓の結合突部に上端が結合されたカテーテルが意図には関係なく保管容器の内部で分離される場合が発生しても、カテーテル上端のヘッド部の外周縁に係止突起が形成されてこの係止突起によって保管容器の内部にカテーテルが深く落下することを防ぐことができるので、結合突部を利用してカテーテルを保管容器の外部に簡便に取り出すことができるという長所がある。
【図面の簡単な説明】
【００３５】
【図１】従来技術に係る尿道挿入用カテーテルの保管容器の外形を示す斜視図である。
【図２】従来技術に係る尿道挿入用カテーテルの保管容器の保管状態を示す斜視図である。
【図３】従来技術に係る尿道挿入用カテーテルの容器の収容状態を示す要部拡大側断面図である。
【図４】従来技術に係る尿道挿入用カテーテルの保管容器の外形を示す斜視図である。
【図５】本発明の一実施形態に係るヘッド部が改善された尿道挿入用カテーテルの容器の収容状態を示す要部拡大側断面図である。
【発明を実施するための形態】
【００３６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３７】
図５は本発明の一実施形態に係るヘッド部が改善された尿道挿入用カテーテルの容器の収容状態を示す要部拡大側断面図である。
【００３８】
これを参照すれば、本発明の一実施形態に係るヘッド部が改善された尿道挿入用カテーテル１３８はカテーテルの上端が栓から離脱される時に収容管に挟まって引き出し難くなることを防ぐためのカテーテルである。
【００３９】
上述したように、消毒薬を収容して上部容器１０４とその上部容器１０４の下端に連通される小直径の収容管１１０と、前記上部容器１０４と収容管１１０の連結部分が斜めに構成された係止部１１４からなる保管容器１００に対して、カテーテル３０のヘッド部４０が図３に示すように上広下狭の形態のテーパー型で構成されれば、ヘッド部４０が栓２８の結合突部３９から意図には関係なく離脱される時にヘッド部４０の下端の外周縁が小直径の収容管１１０に挟まってさらに引き出し難くなる。
【００４０】
したがって、本発明の一実施形態に係るヘッド部が改善された尿道挿入用カテーテル１３８はヘッド部１４０の挟まりを防ぐための構造の改善を成した。
【００４１】
まず、本発明の一実施形態に係るヘッド部が改善された尿道挿入用カテーテル１３８は保管容器１００に備えられた栓１３２の結合突部１３９と結合されるように上端に開放口１４２が形成されるヘッド部１４０が提供される。
【００４２】
また、前記ヘッド部１４０の下端にはそのヘッド部１４０と連通されるように結合されて、尿道に挿入される挿入管１４８で構成されて、前記ヘッド部１４０はその下端に前記上部容器１０４と収容管１１０の間に形成された係止部１１４にかかるように収容管１１０の直径より大きい係止突起１４６が形成されている。
【００４３】
この時、前記ヘッド部１４０はその材質が前記挿入管１４８と等しい軟質のポリウレタンであり、前記ヘッド部１４０はその内部の通路が前記栓１３２の結合突部１３９が結合しやすいように上広下狭の形態のテーパー型で構成される。
【００４４】
また、前記ヘッド部１４０はその内部のまわりに一定間隔で結合突起１４４が形成されて前記結合突部１３９との結合力を高めるように構成される。
【００４５】
すなわち、本発明の一実施形態に係るヘッド部が改善された尿道挿入用カテーテル１３８のヘッド部１４０はその内部の通路が前記栓１３２の結合突部１３９に対して結合しやすいように上広下狭の形態のテーパー型であるが、その外面の場合は内部構造と同様に上広下狭の形態のテーパー型であれば、栓１３２からカテーテル１３８が意図には関係なく離脱される場合、前記ヘッド部１４０の下端は図３に示すように狭小な収容管１１０内に挟まるようになる。
【００４６】
したがって、本発明の一実施形態に係るヘッド部が改善された尿道挿入用カテーテル１３８のヘッド部１４０はその外面が内部の構造と同様に上広下狭の形態のテーパー型でありながら、その下端部は外側に前記収容管１１０の直径より大きい直径を有する係止突起１４６を構成することで、栓１３２からカテーテル１３８が意図には関係なく離脱される場合が発生しても前記係止突起１４６が収容管１１０の入口部分にかかって栓１３２の結合突部１３９などを利用して保管容器１００の外部に引き出しやすくなる。
【００４７】
この時、本発明は前記結合突部１３９の長さとヘッド部１４０の長さを合わせた値が前記上部容器１０４の長さより大きいことが好ましい。栓１３２からカテーテル１３８が意図には関係なく離脱される場合でも収容管１１０の入口部分にかかったヘッド部１４０を栓１３２の結合突部１３９を利用して容易に引き出すことができるからである。
【００４８】
なお、本発明は前記係止突起１４６の構成だけに限定されなく、保管容器１００の収容管１１０の入口部分でカテーテル１３８がかかられるように前記係止突起１４６が形成された位置の外部直径を前記収容管１１０の内部直径より大きくする場合も同様の效果を得ることができる。
【００４９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００５０】
１００    尿道挿入用カテーテルの保管容器
１０２    容器部
１０４    上部容器
１０６    下部容器
１０８    コルゲートパイプ
１１０、１１２    収容管
１１４    係止部
１２０    ハンガー
１２４    支持台
１２６    ホルダー
１２８    延長ピン
１３０    係止フック
１３２    栓
１３８    カテーテル
１３９    結合突部
１４０    ヘッド部
１４６    係止突起
【図１】
2011139882.tif 000003
【図２】
2011139882.tif 000004
【図３】
2011139882.tif 000005
【図４】
2011139882.tif 000006
【図５】
2011139882.tif 000007